(57)【要約】【課題】コンロを利用する住宅の居住者を見守り、居住者の家族、保護者等に過度の負担をかけることなく、必要に応じて報知するための報知制御方法を提供する。【解決手段】住宅の居住者を見守り一定条件下で報知を行う見守りシステムにおいて用いられる報知制御方法は、センサーにより検知された、住宅に設置されたコンロの状態を示すコンロ情報と居住者の所在位置を示す位置情報とを取得する取得ステップ（ステップＳ１１）と、位置と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップ（ステップＳ１２〜Ｓ１７）とを含む。【選択図】図８
2016103083.tif 000002
【特許請求の範囲】
【請求項１】
住宅の居住者を見守り、一定条件下で報知を行う見守りシステムにおいて用いられる報知制御方法であって、
センサーにより検知された、前記住宅に設置されたコンロの状態を示すコンロ情報と前記居住者の所在位置を示す位置情報とを取得する取得ステップと、
複数の位置各々と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップとを含む
報知制御方法。
【請求項２】
前記制御ステップでは、受信した報知情報に対応して情報を報知する機能を有する特定の端末装置が受信し得るように、前記報知タイミングで報知情報を送信することで前記制御を行う
請求項１記載の報知制御方法。
【請求項３】
前記報知制御方法は更に、
前記報知情報を受信した前記端末装置への操作を反映して前記タイミング情報の内容を更新する更新ステップを含む
請求項２記載の報知制御方法。
【請求項４】
前記制御ステップでは、前記報知情報が前記報知タイミングでの前記居住者の所在位置を示すようにして当該報知情報の前記送信を行い、
前記報知制御方法は更に、
前記端末装置において前記報知情報を受信して当該報知情報に基づいて前記居住者の所在位置を表示する位置表示ステップを含む
請求項２記載の報知制御方法。
【請求項５】
前記報知制御方法は更に、
前記端末装置において前記居住者に対して電話をかけるためのユーザインタフェースとなる画像を表示する画像表示ステップを含む
請求項２記載の報知制御方法。
【請求項６】
前記取得ステップにおいて取得される前記位置情報は、前記住宅内の複数の部屋それぞれに設置されたセンサーによる、当該部屋に前記居住者が所在するか否かの検知結果に基づいて定まる情報であり、
前記タイミング情報は、前記複数の部屋のうち一の部屋の位置に対応する報知タイミングを、当該一の部屋よりも前記コンロから離れている他の部屋の位置に対応する報知タイミングよりも遅いタイミングを示すように定めた情報であり、
前記制御ステップでは、前記コンロが点火している場合に前記居住者が前記一の部屋に所在するときには前記居住者が前記他の部屋に所在するときよりも遅く報知が行われるように前記制御を行う
請求項１〜５のいずれか一項に記載の報知制御方法。
【請求項７】
前記取得ステップにおいて取得される前記位置情報は、前記住宅内のトイレを含む複数の部屋それぞれに設置されたセンサーによる、当該部屋に前記居住者が所在するか否かの検知結果に基づいて定まる情報であり、
前記制御ステップでは、前記コンロが点火している場合に前記居住者がトイレに所在するときには前記居住者がトイレ以外の部屋に所在するときよりも早く報知が行われることがないように前記制御を行う
請求項１〜５のいずれか一項に記載の報知制御方法。
【請求項８】
前記取得ステップにおいて取得される前記位置情報は、前記住宅内のコンロが設置された部屋を含む複数の部屋それぞれに設置されたセンサーによる、当該部屋に前記居住者が所在するか否かの検知結果に基づいて定まる情報であり、
前記タイミング情報における報知タイミングは、前記コンロの点火後において前記コンロが設置された部屋に前記居住者が所在しなくなった時からの経過時間で表され、
前記制御ステップでは、前記位置情報が示す前記居住者の所在位置に該当する位置に対応して前記タイミング情報に定められた報知タイミングに係る経過時間が、前記コンロの点火後において前記コンロが設置された部屋に前記居住者が所在しなくなった時から経過したときに前記報知が行われるように前記制御がなされる
請求項１〜５のいずれか一項に記載の報知制御方法。
【請求項９】
前記タイミング情報における報知タイミングは、前記コンロが点火した時からの経過時間で表され、
前記制御ステップでは、前記位置情報が示す前記居住者の所在位置に該当する位置に対応して前記タイミング情報に定められた報知タイミングに係る経過時間が、前記コンロが点火した時から経過したときに前記報知が行われるように前記制御がなされる
請求項１〜５のいずれか一項に記載の報知制御方法。
【請求項１０】
前記制御ステップでは、居住者を見守る上で確認が必要な事態が発生した可能性の高さを複数レベルに区分した当該複数レベルのうちの一レベルを表す態様で報知が行われるように前記制御がなされ、
前記タイミング情報は、前記複数レベルのそれぞれについて位置と報知タイミングとの対応を示し、同じ位置に対応する各レベルについての報知タイミングを、当該レベルに該当する前記可能性の高さが高いレベルほど遅く定めた情報である
請求項１〜９のいずれか一項に記載の報知制御方法。
【請求項１１】
前記制御ステップでは、前記タイミング情報に従った報知の前記制御を、既に報知済みのレベルと異なるレベルについての報知に限って行う
請求項１０記載の報知制御方法。
【請求項１２】
住宅の居住者を見守り、一定条件下で報知を行う見守りシステムであって、
１又は複数のセンサーと、
複数の位置各々と報知タイミングとの対応を示す予め定められたタイミング情報を記憶する記憶部と、
前記センサーにより検知された、前記住宅に設置されたコンロの状態を示すコンロ情報と前記居住者の所在位置を示す位置情報とを取得する取得部と、
前記タイミング情報に従い、前記取得部により取得されたコンロ情報及び位置情報に基づいて、前記コンロが点火している場合に前記居住者の所在位置に応じた報知タイミングで報知が行われるように制御する制御部とを含む
見守りシステム。
【請求項１３】
住宅の居住者を見守り、一定条件下で報知を行う見守りシステムにおけるコンピュータに所定処理を実行させるための制御プログラムであって、
前記所定処理は、
センサーにより検知された、前記住宅に設置されたコンロの状態を示すコンロ情報と前記居住者の所在位置を示す位置情報とを取得する取得ステップと、
複数の位置各々と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップとを含む
制御プログラム。
【発明の詳細な説明】
【技術分野】
【０００１】
本発明は、住宅の居住者の暮らしの様子を見守り異常等を報知する見守りシステムに関し、特に、コンロの点火中における報知を制御する報知制御方法に関する。
【背景技術】
【０００２】
一人暮らし又は日中独居状態の高齢者その他の弱者等といった住宅の居住者を見守り、異常等を報知する見守りシステムが知られている。これにより、例えば弱者等の居住者の暮らしに異常が生じた場合にその異常発生をその居住者の家族、保護者、看護者等は把握でき、必要に応じて確認等の対処を行うことができる。
【０００３】
また、従来、コンロの消し忘れを検知して警告する技術が知られている（例えば、特許文献１参照）。
【先行技術文献】
【特許文献】
【０００４】
【特許文献１】特開２００３−２０７１３６号公報
【発明の概要】
【発明が解決しようとする課題】
【０００５】
特許文献１の技術は、コンロの点火中に留守にすると警告を発するものである。これに対し、居住者が住宅内に居る場合でも居住者が安全に暮らせるよう見守ることが望ましいが、例えば居住者が住宅内に居る場合でもコンロの点火中には常に報知を行うのであれば、その居住者の家族等にとって状況確認の負担が過大となり得る。
【０００６】
そこで、本発明は、住宅の居住者の家族、保護者等に過度の負担をかけることなくコンロを利用する居住者を適切に見守るために有用な見守りシステムを提供する。また、本発明は、この見守りシステムにおいて用いられる報知制御方法等を提供する。
【課題を解決するための手段】
【０００７】
上記課題を解決するために本発明の一態様に係る報知制御方法は、住宅の居住者を見守り、一定条件下で報知を行う見守りシステムにおいて用いられる報知制御方法であって、センサーにより検知された、前記住宅に設置されたコンロの状態を示すコンロ情報と前記居住者の所在位置を示す位置情報とを取得する取得ステップと、複数の位置各々と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップとを含む報知制御方法である。
【０００８】
また、上記課題を解決するために本発明の一態様に係る見守りシステムは、住宅の居住者を見守り、一定条件下で報知を行う見守りシステムであって、１又は複数のセンサーと、複数の位置各々と報知タイミングとの対応を示す予め定められたタイミング情報を記憶する記憶部と、前記センサーにより検知された、前記住宅に設置されたコンロの状態を示すコンロ情報と前記居住者の所在位置を示す位置情報とを取得する取得部と、前記タイミング情報に従い、前記取得部により取得されたコンロ情報及び位置情報に基づいて、前記コンロが点火している場合に前記居住者の所在位置に応じた報知タイミングで報知が行われるように制御する制御部とを含む見守りシステムである。
【０００９】
また、上記課題を解決するために本発明の一態様に係る制御プログラムは、住宅の居住者を見守り、一定条件下で報知を行う見守りシステムにおけるコンピュータに所定処理を実行させるための制御プログラムであって、前記所定処理は、センサーにより検知された、前記住宅に設置されたコンロの状態を示すコンロ情報と前記居住者の所在位置を示す位置情報とを取得する取得ステップと、複数の位置各々と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップとを含む制御プログラムである。
【発明の効果】
【００１０】
本発明によると、コンロを利用する住宅の居住者の見守りにおいて、住宅の居住者の家族、保護者等に過度の負担をかけないように適切に報知を行い得る。
【図面の簡単な説明】
【００１１】
【図１】実施の形態１に係る見守りシステムのシステム構成図である。
【図２】サーバの機能ブロック図である。
【図３】センサーの検知結果に係るセンサー状態変化履歴を示す図である。
【図４】センサー状態を示す図である。
【図５】タイミング情報の構成及び内容例を示す図である。
【図６】報知先情報の構成及び内容例を示す図である。
【図７】端末装置の機能ブロック図である。
【図８】サーバによる報知制御処理を示すフローチャートである。
【図９】報知情報送信処理を示すフローチャートである。
【図１０】タイミング情報更新処理を示すフローチャートである。
【図１１】通信シーケンスを示す図である。
【図１２】端末装置に表示される画面例を示す図である。
【図１３】端末装置に表示される画面例を示す図である。
【図１４】端末装置に表示される画面例を示す図である。
【図１５】端末装置に表示される画面例を示す図である。
【図１６】端末装置に表示される画面例を示す図である。
【発明を実施するための形態】
【００１２】
本発明の一態様に係る報知制御方法は、住宅の居住者を見守り、一定条件下で報知を行う見守りシステムにおいて用いられる報知制御方法であって、センサーにより検知された、前記住宅に設置されたコンロの状態を示すコンロ情報と前記居住者の所在位置を示す位置情報とを取得する取得ステップと、複数の位置各々と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップとを含む報知制御方法である。なお、見守りシステムはセンサーの検知結果を通信により取得可能な一台以上の装置により構成される。報知に係る制御の対象は、例えば報知機能（表示機能等）を有する装置（端末装置、見守りシステムを構成する装置等）である。これにより、見守りシステムで見守られる居住者の所在位置によって報知タイミングを変化させ得るため、タイミング情報を適切に定めることにより、住宅の居住者の家族、保護者等に過度の負担をかけないよう適切に報知を行うことが可能となり得る。なお、家族は、居住者と関係ある者であり、居住者と同居している者に限られない。
【００１３】
また、前記制御ステップでは、受信した報知情報に対応して情報を報知する機能を有する特定の端末装置が受信し得るように、前記報知タイミングで報知情報を送信することで前記制御を行うこととしても良い。これにより、例えば見守り対象の居住者の家族等が保有する端末装置において、居住者の所在位置に応じた適切なタイミングで報知がなされる。
【００１４】
また、前記報知制御方法は更に、前記報知情報を受信した前記端末装置への操作を反映して前記タイミング情報の内容を更新する更新ステップを含むこととしても良い。これにより、例えば見守り対象の居住者の家族等が、端末装置を操作して、適切なタイミングで報知がなされるようにタイミング情報を更新できるようになる。
【００１５】
また、前記制御ステップでは、前記報知情報が前記報知タイミングでの前記居住者の所在位置を示すようにして当該報知情報の前記送信を行い、前記報知制御方法は更に、前記端末装置において前記報知情報を受信して当該報知情報に基づいて前記居住者の所在位置を表示する位置表示ステップを含むこととしても良い。これにより、例えば見守り対象の居住者の家族等は、端末装置により、居住者の所在位置を把握して必要に応じて適切な対応（例えば電話連絡等）を行うことが可能となる。
【００１６】
また、前記報知制御方法は更に、前記端末装置において前記居住者に対して電話をかけるためのユーザインタフェースとなる画像を表示する画像表示ステップを含むこととしても良い。これにより、例えば見守り対象の居住者の家族等は、端末装置により、必要に応じて迅速かつ容易に電話連絡を行うことが可能となる。
【００１７】
また、前記取得ステップにおいて取得される前記位置情報は、前記住宅内の複数の部屋それぞれに設置されたセンサーによる、当該部屋に前記居住者が所在するか否かの検知結果に基づいて定まる情報であり、前記タイミング情報は、前記複数の部屋のうち一の部屋の位置に対応する報知タイミングを、当該一の部屋よりも前記コンロから離れている他の部屋の位置に対応する報知タイミングよりも遅いタイミングを示すように定めた情報であり、前記制御ステップでは、前記コンロが点火している場合に前記居住者が前記一の部屋に所在するときには前記居住者が前記他の部屋に所在するときよりも遅く報知が行われるように前記制御を行うこととしても良い。これにより、居住者がコンロから近い部屋に居る場合には遠い部屋に居る場合よりもコンロでの加熱が終わるのを待機している可能性が高いことから報知を遅くするので、家族等の確認の負担を軽減することが可能となる。
【００１８】
また、前記取得ステップにおいて取得される前記位置情報は、前記住宅内のトイレを含む複数の部屋それぞれに設置されたセンサーによる、当該部屋に前記居住者が所在するか否かの検知結果に基づいて定まる情報であり、前記制御ステップでは、前記コンロが点火している場合に前記居住者がトイレに所在するときには前記居住者がトイレ以外の部屋に所在するときよりも早く報知が行われることがないように前記制御を行うこととしても良い。これにより、居住者がトイレに居る場合には通常は短時間で他の部屋に移動する（例えば元の場所に戻る）であろうから他の部屋よりも早い報知を行わないので、家族等の確認の負担を軽減することが可能となる。
【００１９】
また、前記取得ステップにおいて取得される前記位置情報は、前記住宅内のコンロが設置された部屋を含む複数の部屋それぞれに設置されたセンサーによる、当該部屋に前記居住者が所在するか否かの検知結果に基づいて定まる情報であり、前記タイミング情報における報知タイミングは、前記コンロの点火後において前記コンロが設置された部屋に前記居住者が所在しなくなった時からの経過時間で表され、前記制御ステップでは、前記位置情報が示す前記居住者の所在位置に該当する位置に対応して前記タイミング情報に定められた報知タイミングに係る経過時間が、前記コンロの点火後において前記コンロが設置された部屋に前記居住者が所在しなくなった時から経過したときに前記報知が行われるように前記制御がなされることとしても良い。これにより、コンロの付近に居住者が居る場合には報知しなくなり、家族等の確認の負担を軽減することが可能となる。
【００２０】
また、前記タイミング情報における報知タイミングは、前記コンロが点火した時からの経過時間で表され、前記制御ステップでは、前記位置情報が示す前記居住者の所在位置に該当する位置に対応して前記タイミング情報に定められた報知タイミングに係る経過時間が、前記コンロが点火した時から経過したときに前記報知が行われるように前記制御がなされることとしても良い。これにより、コンロが点火してからの時間に応じて報知を行うことが可能になる。
【００２１】
また、前記制御ステップでは、居住者を見守る上で確認が必要な事態が発生した可能性の高さを複数レベルに区分した当該複数レベルのうちの一レベルを表す態様で報知が行われるように前記制御がなされ、前記タイミング情報は、前記複数レベルのそれぞれについて位置と報知タイミングとの対応を示し、同じ位置に対応する各レベルについての報知タイミングを、当該レベルに該当する前記可能性の高さが高いレベルほど遅く定めた情報であることとしても良い。これにより、居住者を見守る上で確認が必要な事態が発生した可能性の高さ毎に、報知がなされるようになるため、家族等は確認が必要な事態が発生した可能性の高さを考慮して適切な対応を行うことが可能になる。
【００２２】
また、前記制御ステップでは、前記タイミング情報に従った報知の前記制御を、既に報知済みのレベルと異なるレベルについての報知に限って行うこととしても良い。これにより、段階的に報知がなされるので、家族等は段階を踏まえて適切な措置を行うことが可能になる。
【００２３】
また、本発明の一態様に係る見守りシステムは、住宅の居住者を見守り、一定条件下で報知を行う見守りシステムであって、１又は複数のセンサーと、複数の位置各々と報知タイミングとの対応を示す予め定められたタイミング情報を記憶する記憶部と、前記センサーにより検知された、前記住宅に設置されたコンロの状態を示すコンロ情報と前記居住者の所在位置を示す位置情報とを取得する取得部と、前記タイミング情報に従い、前記取得部により取得されたコンロ情報及び位置情報に基づいて、前記コンロが点火している場合に前記居住者の所在位置に応じた報知タイミングで報知が行われるように制御する制御部とを含む見守りシステムである。これにより、居住者の所在位置によって報知タイミングを変化させ得るため、居住者の家族等に過度の負担をかけないよう適切に報知を行うことが可能となり得る。
【００２４】
また、本発明の一態様に係る制御プログラムは、住宅の居住者を見守り、一定条件下で報知を行う見守りシステムにおけるコンピュータに所定処理を実行させるための制御プログラムであって、前記所定処理は、センサーにより検知された、前記住宅に設置されたコンロの状態を示すコンロ情報と前記居住者の所在位置を示す位置情報とを取得する取得ステップと、複数の位置各々と報知タイミングとの対応を示す予め定められたタイミング情報に従い、前記取得ステップにおいて取得されたコンロ情報及び位置情報に基づいて、前記コンロが点火している場合に前記居住者の所在位置に応じた報知タイミングで報知が行われるように制御する制御ステップとを含む制御プログラムである。この制御プログラムをインストールしたコンピュータにより、居住者の家族等に過度の負担をかけない適切な報知の実現が可能となり得る。
【００２５】
なお、これらの全般的又は具体的な態様は、システム、方法、集積回路、コンピュータプログラム又はコンピュータ読取可能なＣＤ−ＲＯＭ等の記録媒体で実現されても良く、システム、方法、集積回路、コンピュータプログラム又は記録媒体の任意な組み合わせで実現されても良い。
【００２６】
以下、実施の形態に係る見守りシステムについて、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００２７】
（実施の形態１）
以下、本発明の一実施形態に係る見守りシステム１０について説明する。
【００２８】
（構成）
図１は、実施の形態１に係る見守りシステム１０を示すシステム構成図である。
【００２９】
見守りシステム１０は、図１に示すように、サーバ１００、ブリッジ２００、端末装置３００及びネットワーク３１、３２を含んで構成される。
【００３０】
見守りシステム１０は、住宅２０におけるセンサーＡ〜Ｄの検知結果を分析することにより、住宅２０に設置されたコンロ２１が点火状態である場合に居住者の居る部屋に応じて報知を行うタイミングを決定して報知制御を行うためのシステムである。例えば住宅２０の居住者は一人暮らし或いは日中独居状態の高齢者であり、本例では見守りシステム１０は、その高齢者を見守り、高齢者の暮らしに異常が生じた場合にその高齢者の家族等が保有する携帯端末等の端末装置３００を介して報知を行う。報知により、その高齢者の家族等に注意を喚起する。図１では端末装置３００を１台しか示していないが、複数台存在し得る。コンロ２１は、例えばガスコンロであるが、熱源はガス燃料以外の燃料、電気等であっても良い。なお、電気により加熱するコンロ２１においては、例えば水を沸騰させる程度の加熱をしている状態を点火状態と扱い、それ以外の状態を消火状態と扱う。
【００３１】
センサーＡは、住宅２０のコンロ２１が設置されたキッチンに居住者が所在するか否かを検知して所定周期（例えば１秒）でその検知結果をブリッジ２００に送信するセンサーである。センサーＡは、例えばキッチンに設置された赤外線方式の人感センサーであるが、他の方式のセンサーであっても良い。例えばセンサーＡは、キッチンに居住者が所在する場合には居住者を感知して検知結果としてアクティブ（Ａｃｔｉｖｅ）状態を送信し、キッチンに居住者が所在しない場合には検知結果として非アクティブ（Ｉｎａｃｔｉｖｅ）状態を送信する。センサーＡと同様に、センサーＢ及びＣは、例えばそれぞれリビング、トイレに設置された人感センサーである。センサーＢはリビングに居住者が所在するか否か、センサーＣはトイレに居住者が所在するか否かを、それぞれ検知して検知結果をブリッジ２００に送信する。ここでは、住宅２０においてリビングはキッチンに近い部屋（例えばリビングはキッチンの隣室）であるものとして説明する。
【００３２】
センサーＤは、住宅２０のコンロ２１付近に設置され、コンロ２１が点火状態であるか否（つまり消火状態）かを検知して所定周期（例えば１秒）でその検知結果をブリッジ２００に送信するセンサーである。センサーＤは、例えば熱センサーであり、また、コンロ２１が点火制御用の回路を有する場合にはその回路の制御信号に基づき点火状態であるか否かの検知を行うように構成されたセンサー等であっても良い。例えばセンサーＤは、コンロが点火状態の場合には検知結果としてアクティブ（Ａｃｔｉｖｅ）状態を送信し、コンロが非点火状態（消火状態）の場合には検知結果として非アクティブ（Ｉｎａｃｔｉｖｅ）状態を送信する。
【００３３】
ブリッジ２００は、センサーＡ〜Ｄのそれぞれと通信可能であり、各センサーから送信される検知結果を受信してネットワーク３１を介してサーバ１００に転送する中継装置である。ネットワーク３１は、インターネット等を含むワイドエリアネットワーク（ＷＡＮ）である。ブリッジ２００はルータの機能を含むものであっても良く、外部のルータ装置を介してネットワーク３１に接続するように構成されていても良い。なお、各センサーがブリッジ２００に送信する検知結果には、例えばセンサーを識別するためのセンサーＩＤが付加されている。以下、センサーＡ、Ｂ、Ｃ、ＤのセンサーＩＤは、それぞれＡ、Ｂ、Ｃ、Ｄであるものとして説明する。
【００３４】
サーバ１００は、センサーＡ〜Ｄの検知結果をブリッジ２００からネットワーク３１を介して取得し、その検知結果を分析して必要に応じて報知のための制御を行うコンピュータである。サーバ１００は、例えば、メモリ、ハードディスク装置等の記憶装置、クロックカウンタ等の計時機構、通信回路及びＣＰＵ（Central Processing Unit）を備える。このメモリは、プログラム及びデータを予め保持しているＲＯＭ（Read Only Memory）、プログラムの実行に際してデータ等の記憶に利用するためのＲＡＭ（Random Access Memory）等であり、例えば不揮発性メモリを含んでいても良い。ＣＰＵは、メモリに格納された制御プログラムを実行することによりコンピュータの各部を制御して報知制御方法に係る報知制御処理を行う。報知制御処理により、サーバ１００は、必要に応じて、報知タイミングを決定し、決定した報知タイミングでネットワーク３２を介して端末装置３００に報知情報を送信する。報知情報は、例えば住宅２０の居住者を見守る上で確認が必要な事態が発生した可能性があることを表す文字列、画像その他の情報である。
【００３５】
端末装置３００は、ディスプレイ、メモリ等の記憶装置、通信回路及びＣＰＵを備えるスマートフォン、携帯電話機、タブレット等のコンピュータである。端末装置３００は、ネットワーク３２を介してサーバ１００から報知情報を受信してその報知情報に基づいて情報をディスプレイに表示する機能を有する。
【００３６】
図２は、サーバ１００の機能ブロック図である。サーバ１００は、住宅２０のセンサーＡ〜Ｄの検知結果をブリッジ２００から取得して、コンロ２１が点火状態である場合に居住者の居る部屋に応じて報知を行うタイミングを決定して報知情報を端末装置３００へと送信することで報知制御を行う。この報知制御のために、サーバ１００は、図２に示すように機能面では、取得部１１０、記憶部１２０、制御部１３０及び更新部１４０を備える。
【００３７】
取得部１１０は、制御プログラムを実行するＣＰＵ、メモリ、通信回路等により実現される。取得部１１０は、各センサーにより検知された、住宅２０に設置されたコンロの状態（点火状態か否か）を示すコンロ情報と住宅２０の居住者の所在位置（例えば所在する部屋）を示す位置情報とを取得する機能を有する。具体的には、取得部１１０は、住宅２０のセンサーＡ〜Ｄそれぞれの検知結果及びセンサーＩＤをブリッジ２００から受信することにより、コンロ情報及び位置情報を取得する。取得部１１０は、取得したコンロ情報及び位置情報を制御部１３０に伝達する。図３は、センサー状態変化履歴を示す図である。このセンサー状態変化履歴は、一例としてのセンサーＡ〜Ｄから送信され取得部１１０が受信した検知結果について、検知結果が変化した時刻とセンサーＩＤと変化後の検知結果である変化状態とを時刻順に表している。図３の例は、住宅２０の居住者がお湯を沸かすために１２時３４分からキッチンに入り、コンロを点火して、キッチンからリビングに移動し、お湯が沸いた頃（１２時４０分）に再びキッチンに戻って、コンロを消火状態にした場合を示している。取得部１１０は、メモリに各センサーの最後の検知結果を保持する領域を有し、各センサーからの検知結果が変化した場合にその領域の内容を、変化状態を示すように更新する。図４は、取得部１１０が各センサーの最後の検知結果（つまり現在の状態）を格納するメモリ領域の内容例を、センサー状態として図示した図である。この図４の例は、図３の例の１２時４１分におけるセンサー状態を示している。コンロ情報は、センサーＤの現在の状態で示される。また、位置情報は、住宅２０内の複数の部屋それぞれ（本例ではキッチン、リビング及びトイレのそれぞれ）に設置されたセンサーＡ〜Ｃの検知結果（つまり現在の状態）により示され、どの部屋に居住者が所在するかを特定する情報である。この図４に例示するセンサー状態は、点火状態ではないことを示すコンロ情報と、居住者がキッチンに所在することを示す位置情報とを表している。
【００３８】
記憶部１２０は、メモリ等の記憶領域で構成され、位置と報知タイミングとの対応を示す予め定められたタイミング情報４０を記憶する。タイミング情報４０は、コンロの点火中に制御部１３０が報知を行うタイミング、つまり報知情報を端末装置３００に送信するタイミングを決定するために参照する情報である。コンロの点火中における住宅２０の居住者の位置に応じた所定時間が経過した場合に報知がなされることになる。図５は、タイミング情報４０の構成及び内容例を示す図である。同図に示すようにタイミング情報４０は、報知レベル４１毎に位置４２と報知用経過時間４３とを対応付けて構成される。報知レベル４１は、見守りシステム１０において居住者を見守る上で確認が必要な事態が発生した可能性の高さを示し、「高」、「中」及び「低」の３段階のいずれかで表される。位置４２は、住宅２０のキッチン、リビング、トイレ、その他の部屋のいずれかで表される。報知用経過時間４３は、コンロが点火してから報知タイミングまでの経過時間を示す。タイミング情報４０は、例えばキッチンよりコンロから離れているリビングについて、図５の内容例で示すように各報知レベルにおいてキッチンよりも報知タイミングが早くなるように定められている。つまり、タイミング情報４０では、複数の部屋のうち一の部屋の位置に対応する報知タイミングを、その一の部屋よりもコンロから離れている他の部屋の位置に対応する報知タイミングよりも遅いタイミングを示すように定めている。また、トイレに居住者が所在する場合には短時間で他の部屋に戻るはずであるから報知が行われないように定められている。また、タイミング情報４０は、例えば、居住者を見守る上で確認が必要な事態が発生した可能性が高い報知レベル程、同じ位置での報知タイミングが遅くなるように定められている。なお、端末装置３００に送信される報知情報は、報知レベルを示す情報を含むこととし、端末装置３００において報知レベルを表す態様で報知がなされるように制御しても良い。このタイミング情報４０は、例えば、見守りシステムの対象となる居住者の家族から情報を収集してサーバ１００の管理者、操作者等が入力手段を介して入力すること等によりサーバ１００に記憶されている。なお、タイミング情報４０は、管理者等による入力に依らず設計時に予め定められた値により構成されていても良い。
【００３９】
記憶部１２０は更に、住宅２０の居住者の家族、保護者等が保有する端末装置３００に報知を行うためにメールアドレス、電話番号等の報知先を示す報知先情報５０を記憶する。図６は、報知先情報５０の構成及び内容例を示す図である。同図に示すように報知先情報５０は、端末装置保有者５１毎に報知先５２を示す情報である。端末装置保有者５１は、住宅２０の居住者を見守る上で確認が必要な事態が発生した可能性がある場合に報知先となる者であり、報知先５２はその者のメールアドレス等、端末装置３００が受信し得るように報知情報を送信するために用いられる情報である。この報知先情報５０は例えばタイミング情報４０と同様にサーバ１００の管理者、操作者等が入力手段を介して入力すること等によりサーバ１００に記憶されている。
【００４０】
制御部１３０は、制御プログラムを実行するＣＰＵ、計時機構、通信回路等により実現される。制御部１３０は、コンロ情報、位置情報、タイミング情報４０及び報知先情報５０を用いて、コンロ２１が点火状態である場合に居住者の所在位置（居住者の居る部屋）に応じて報知を行うタイミングを決定して報知情報を端末装置３００へと送信する機能を有する。報知タイミングは、例えば、コンロ２１が点火している場合に居住者がキッチンに所在するときには居住者がリビング（キッチンよりコンロ２１から離れた部屋）に所在するときよりも遅いタイミングとなる。また、コンロ２１が点火している場合に居住者がトイレに所在するときには報知を行わない。なお、居住者がトイレに所在するときに、居住者がトイレ以外の部屋（キッチン、リビング等）に所在するときよりも早く報知が行われることがないように制御を行うこととしても良い。また、制御部１３０は、タイミング情報に従った報知の制御を、既に報知済みの報知レベルと異なる報知レベルについての報知に限って行うこととしても良い。例えば、制御部１３０は、コンロ２１が点火状態にある間において報知レベルが「低」から「高」へと高まる順序でしか報知を行わないこととしても良い。報知レベルが「低」の報知を認識した場合に端末装置３００の保有者は、次に受けるはずの、報知レベルが一層高い報知に備えて、例えば時々端末装置３００のディスプレイを確認する等の準備措置を行い得る。また、報知レベルが「中」の報知を認識した場合に端末装置３００の保有者は、次に受けるはずの、報知レベルが一層高い報知に備えて、例えば一層頻繁に端末装置３００のディスプレイを確認する等の準備措置を行い得る。そして、報知レベルが「高」の報知を認識した場合に端末装置３００の保有者は、例えば見守る対象である住宅２０の居住者に電話連絡等を行って、危険等が生じていないかを確認することが可能となる。なお、報知レベルが「低」或いは「中」の場合に端末装置３００の保有者が見守り対象の居住者に電話連絡等を行うことについて、見守りシステム１０は特に禁止してはいない。その保有者の判断次第では、報知レベルが「低」或いは「中」であっても居住者に電話連絡等を行うことが想定される。
【００４１】
更新部１４０は、制御プログラムを実行するＣＰＵ、通信回路等により実現され、報知情報を受信した端末装置３００への操作を反映して記憶部１２０に記憶されているタイミング情報４０の内容を更新する機能を有する。具体的には、更新部１４０は、端末装置３００が操作を受け付けて操作に応じた情報を送信した場合にその送信された情報を受信することでその情報に従ってタイミング情報４０を更新する。
【００４２】
図７は、端末装置３００の機能ブロック図である。端末装置３００は、サーバ１００が送信した報知情報を直接又は間接的に受信して、報知情報に基づいて情報をディスプレイに表示すべく、図７に示すように機能面では、通信部３１０、表示部３２０及び操作受付部３３０を備える。
【００４３】
通信部３１０は、通信回路等により実現され、サーバ１００から送信された報知情報の受信と、操作受付部３３０により受け付けられた操作に応じた情報のサーバ１００への送信とを行う機能を有する。
【００４４】
表示部３２０は、表示制御用のプログラム等を実行するＣＰＵ及びディスプレイにより実現され、報知情報に基づき、報知レベル等をディスプレイに表示する機能を有する。つまり表示部３２０は、報知情報が報知レベルを示す場合には報知レベルに応じた態様で表示を行う。
【００４５】
操作受付部３３０は、報知タイミングを変更するための端末装置３００の保有者による操作を受け付けて、操作に応じた情報を、通信部３１０を介してサーバ１００に送信する機能を有する。なお、この操作に応じた情報に対応して、サーバ１００の更新部１４０がタイミング情報４０を更新する。
【００４６】
（動作）
以下、上述の構成を備える見守りシステム１０の動作について説明する。
【００４７】
住宅２０におけるセンサーＡ〜Ｄは、所定周期で検知結果及びセンサーＩＤをブリッジ２００に送信する。ブリッジ２００は、その検知結果及びセンサーＩＤを受信して、サーバ１００に転送する。
【００４８】
サーバ１００は、図８に示す報知制御処理を行う。
【００４９】
図８は、サーバ１００による報知制御処理を示すフローチャートである。以下、報知制御処理について、図８に即して説明する。
【００５０】
サーバ１００の取得部１１０が、ブリッジ２００から各センサーの検知結果及びセンサーＩＤを受信することにより、センサー状態（図４参照）を保持し、コンロ情報及び位置情報を取得して制御部１３０に伝達する（ステップＳ１１）。そして、ステップＳ１１〜Ｓ１９での処理が繰り返し実行される。
【００５１】
コンロ情報及び位置情報が伝達された制御部１３０は、コンロ情報を参照してコンロ２１が消火状態から点火状態に変化した場合には、報知済みの報知レベルの記録をクリアし（ステップＳ１３）、経過時間の測定を開始する（ステップＳ１４）。
【００５２】
続いて制御部１３０は、コンロ情報を参照し、コンロ２１が消火状態であるか否かを判別する（ステップＳ１５）。消火状態でない場合つまり点火状態である場合には、制御部１３０は、位置情報及びタイミング情報４０を参照し、報知済みのレベルより高い報知レベルについて居住者の位置に対応する報知用経過時間が経過したか否かを判別する（ステップＳ１６）。ステップＳ１３でのクリアにより、最初は報知済みのレベルは記録されていないため、タイミング情報４０の報知レベル４１が「低」に対応する報知用経過時間４３の経過が判別される。一旦、「低」の報知レベルについての報知がなされた後は、「低」より高い報知レベルについての報知しかなされない。
【００５３】
ステップＳ１６において、報知済みのレベルより高い報知レベルについて居住者の位置に対応する報知用経過時間が経過したと判定した場合には、制御部１３０は報知情報送信処理を行うことにより端末装置３００で報知がなされるよう制御する（ステップＳ１７）。ステップＳ１７での処理に続けて制御部１３０は、報知済みのレベルをメモリ等に一時的に記録する（ステップＳ１８）。次に、制御部１３０は、タイミング情報４０を端末装置３００の操作に応じて更新するためのタイミング情報更新処理を行う（ステップＳ１９）。
【００５４】
図９は、上述した報知情報送信処理（ステップＳ１７）の具体内容を示すフローチャートである。
【００５５】
同図に示すように報知情報送信処理として、制御部１３０は、まず報知レベルに対応して送信する内容である報知情報を特定する（ステップＳ２１）。制御部１３０は、報知情報の特定を、報知情報を新たに生成することで実現しても、予め生成してある複数の情報のいずれかを報知情報として選択することで実現しても良い。報知情報は、報知レベルを示す他、位置情報に基づく居住者の所在位置等を示す内容を含んでも良い。
【００５６】
続いて制御部１３０は、報知先情報５０を参照して、未だ報知（報知情報の送信）をしていない報知先を選択し（ステップＳ２２）、その選択した報知先（例えばメールアドレス等）に報知情報を送信する（ステップＳ２３）。この報知情報の送信は、端末装置３００が受信し得るようになされ、例えば端末装置３００からアクセスがあれば端末装置３００にメールを伝送する機能を有するメールサーバに対する送信である。なお、ステップＳ２３における報知情報の送信は、メールサーバ等のサーバへの送信の他、例えば端末装置３００への直接的な送信であっても良い。制御部１３０は、このステップＳ２２、Ｓ２３における処理を、未だ報知をしていない報知先がある限り繰り返して（ステップＳ２４）、報知情報送信処理を終える。なお、送信された報知情報を受信する端末装置３００においては、報知情報に基づいて報知すべき情報（報知レベル、居住者の所在位置等）をディスプレイに表示する。また、端末装置３００は、報知レベルに関する設定を変更する操作を受けた場合には、変更する内容を含む、報知レベルの変更指示をサーバ１００に送信（例えばメールとして返信）する。
【００５７】
なお、報知情報を受信した端末装置３００においては、表示部３２０により、その報知情報に基づいて居住者の所在位置を表示する位置表示ステップ、居住者に対して電話をかけるためのユーザインタフェースとなる画像を表示する画像表示ステップ等が実行される。
【００５８】
図１０は、上述したタイミング情報更新処理（ステップＳ１９）の具体内容を示すフローチャートである。
【００５９】
同図に示すようにタイミング情報更新処理として、制御部１３０は、端末装置から報知レベルの変更指示を受信した場合には（ステップＳ３１）、変更指示で示される変更後の内容となるように、ステップＳ１７において報知を行った報知タイミングを決定する基礎となったタイミング情報４０の報知レベル４１、位置４２及び報知用経過時間４３についての内容を変更する（ステップＳ３２）。
【００６０】
以下、上述した見守りシステム１０の動作について、コンロ点火時における住宅２０の居住者の移動を想定した具体例を挙げて説明する。
【００６１】
図１１は、センサーＡ〜Ｄ、ブリッジ２００、サーバ１００及び端末装置３００における通信シーケンスを示す図である。センサーＡ〜Ｄは周期的に検知結果を送信するが、同図では便宜上、検知結果に変化があった場合のみについて示している。ここでは、タイミング情報４０は図５に例示した内容であるものとして説明する。
【００６２】
まず、センサーＡが、キッチンに居住者が所在することを示すＡｃｔｉｖｅ状態であることを、ブリッジ２００を介してサーバ１００が受信する（シーケンスＳＥＱ１）。そして、センサーＢ及びセンサーＣが居住者を検知しないＩｎａｃｔｉｖｅ状態であり、センサーＤが、コンロが消火状態にあることを示すＩｎａｃｔｉｖｅ状態であることを、ブリッジ２００を介してサーバ１００が受信する（シーケンスＳＥＱ２〜４）。サーバ１００の取得部１１０は報知制御処理（図８参照）により逐次センサー状態を取得しているので（ステップＳ１１）、シーケンスＳＥＱ４の直後の時点では、サーバ１００においてメモリ領域内に図４に例示する内容のセンサー状態が記憶されている。
【００６３】
その後、居住者がコンロを点火すると、センサーＤがＡｃｔｉｖｅ状態であるという検知結果をブリッジ２００に送信し、ブリッジ２００がその検知結果をサーバ１００に転送する（シーケンスＳＥＱ５）。サーバ１００の制御部１３０は、コンロが点火状態に変わったため（ステップＳ１２）、報知済みのレベルの記録をクリアして（ステップＳ１２）、計時機構により経過時間の測定を開始する（ステップＳ１４）。
【００６４】
コンロが点火状態のまま、居住者がキッチンを離れてリビングへと移動したならば、センサーＡが、キッチンに居住者が所在しないことを示すＩｎａｃｔｉｖｅ状態であることを検知結果として送信する（シーケンスＳＥＱ６）。また、センサーＢが、リビングに居住者が所在することを示すＡｃｔｉｖｅ状態であることを検知結果として送信する（シーケンスＳＥＱ７）。サーバ１００はブリッジ２００から、シーケンスＳＥＱ６及びＳＥＱ７で送信された検知結果を受信し、メモリ領域に記憶しているセンサー状態を更新する（ステップＳ１１）。シーケンスＳＥＱ７の直後の時点ではセンサー状態により、コンロ情報は点火状態であり、位置情報はリビングに所在することが把握される。
【００６５】
居住者がリビングに居る間に、コンロの点火から１０分が経過したとすると、サーバ１００の制御部１３０は、タイミング情報（図５）を参照し、リビングでの「低」という報知レベルでの報知用経過時間である１０分が経過していると判別する（ステップＳ１６）。つまり報知タイミングが到来していると判別し、報知情報送信処理を行う（ステップＳ１７）。これにより、報知レベルが「低」であることを示す報知情報が特定され、報知先情報５０に従って報知情報が端末装置３００に送信される（シーケンスＳＥＱ８）。ここでは、報知情報は、報知レベル及び位置情報（報知タイミングでの居住者の位置を示す情報）が含まれるものとする。
【００６６】
端末装置３００では、通信部３１０により報知情報を受信して表示部３２０により報知情報に従った内容（報知レベル、居住者の位置等）がディスプレイに表示される。図１２は、シーケンスＳＥＱ８に対応して端末装置３００のディスプレイに表示される画面例を示す図である。同図に示すように、見守り情報の表示９１ａを含む画面により、見守り上、確認が必要な程度が「低」レベルであることが端末装置３００において報知（表示）される。図１２の画面には、報知タイミングを変更するか否かの操作のためのボタン９２ａ、９２ｂが表示されている。端末装置３００の操作受付部３３０は、報知タイミングを変更するための操作を受けた場合には、図１２に例示する画面に続いて図１３に例示するようなタイミング情報の変更指示に係る操作を受け付ける画面を表示する。この画面は、報知タイミングの変更指示の操作が可能な旨を示す表示９２に加えて、報知タイミングの変更内容を表し変更する操作を行うためのボタン９３ａ〜９３ｄ及び変更をしない操作を行うためのボタン９３ｅを含んでいる。そして変更指示の操作がなされた場合に、端末装置３００は、通信部３１０によりその変更指示に係る情報をサーバ１００に送信する（シーケンスＳＥＱ９）。この変更指示に係る情報を受信するとサーバ１００では更新部１４０が、その変更指示に係る情報に従ってタイミング情報４０を更新する。
【００６７】
上述したように動作する見守りシステム１０は、居住者がコンロから近い部屋に短時間移動してコンロの様子を伺いながら待機しているような場合に頻繁に報知が生じることを抑制している。また、見守りシステム１０によれば、適切なタイミングで報知を行うことにより、報知を受けた者が居住者に電話等で連絡可能となる。このため、コンロを点火している間において居住者がコンロから遠く離れた部屋に移動して長時間キッチンに戻らないような事態が生じることが抑制され得る。
【００６８】
（他の実施の形態等）
以上、実施の形態１によりサーバ１００を含む見守りシステム１０について説明したが、上述した実施の形態は一例にすぎず、各種の変更、付加、省略等が可能であることは言うまでもない。
【００６９】
見守りシステム１０のサーバ１００が、端末装置３００に送信する報知情報の内容について変更、付加及び省略をしても良く、例えば、報知情報が報知レベルを示すが居住者の位置を示さないこととしても良い。この場合に、上述したシーケンスＳＥＱ８に対応して端末装置３００のディスプレイには例えば図１４に例示するような画面が表示され得る。同図に示す画面は、見守り情報の表示９１ｂにより、見守り上、確認が必要な程度が「低」レベルであることを示している。なお、図１４に示す画面では、図１２に示す画面と異なり報知タイミングを変更する操作のためのボタンを含んでいない。この図１４に示す画面例のように、特に端末装置３００が報知タイミングを変更する操作を受け付けないこととしても良い。このように端末装置３００からの報知タイミングの変更指示がなされないのであればサーバ１００の更新部１４０は不要である。報知情報は、報知タイミングに関連するタイミング情報４０の一部（例えば報知用経過時間等）を含むこととしても良く、これに対応して端末装置３００がそのタイミング情報４０の一部を表示することとしても良い。
【００７０】
また、上述したシーケンスＳＥＱ８に対応して端末装置３００は、ディスプレイに図１５に例示するような画面を表示することとしても良い。図１５に示す画面は、見守り情報の表示９１ｃ及びボタン９２ｃ、９２ｄにより、電話連絡をするか否かの選択を可能にしている。この場合において端末装置３００は、ボタン９２ｃが選択された場合には、図１６に例示するような、発信先の電話番号を問い合わせる表示９４及び電話番号の選択肢を示すボタン９５ａ、９５ｂを含む画面を表示することとしても良い。なお、端末装置３００は、ボタン９５ａ、９５ｂを、内部の記憶装置に予め登録されている電話帳等を参照して表示する。そして、例えばボタン９５ａが選択された場合には端末装置３００は電話発信を行う。
【００７１】
また、実施の形態１では、１つの住宅２０についての居住者の見守りに関する処理（報知制御）をサーバ１００が行う例を示したが、複数の住宅２０それぞれの居住者の見守りに関する報知制御をサーバ１００が行うこととしても良い。即ち、複数の住宅２０それぞれのブリッジ２００が１つのサーバ１００と接続可能であって、サーバ１００は各住宅２０に対して住宅内のセンサーに応じてその住宅の居住者のコンロ点火中における所在に応じた報知制御を行うこととしても良い。複数の住宅それぞれの居住者を見守り対象とする場合に、サーバ１００が、各住宅のブリッジ２００から住宅の識別に用いることのできる識別情報を受信して、各住宅別に必要な情報が検索、抽出し易いように記憶部１２０内の情報をその識別情報と対応付けてデータベース化して記憶していても良い。
【００７２】
また、実施の形態１で示した見守りシステム１０が、センサーＡ〜Ｄ等の各センサーを含んで構成されるものとしても良い。
【００７３】
また、実施の形態１では、住宅２０のキッチン、リビング及びトイレに人感センサー等のセンサーを設置する例を示したが、キッチン、リビング及びトイレ以外の部屋或いは他の場所にも居住者の所在を検知するための人感センサー等のセンサーを設置しても良い。この場合には、上述したサーバ１００の取得部１１０により取得される位置情報は、キッチン、リビング及びトイレ以外の部屋に居住者が所在することを示し得る情報となる。なお、取得部１１０は、住宅の居住者が携帯する通信装置と無線通信することで居住者の所在地を特定するシステム（言わば１つのセンサーとして機能するシステム）によって検知された居住者の位置を示す位置情報を取得することとしても良い。
【００７４】
また、コンロ２１は、所定の長時間（例えば１時間）以上点火状態が継続すると自動的に消火する機能を有していても良い。或いは、サーバ１００が所定の長時間（例えば１時間）以上点火状態が継続したことを検知した場合にコンロ２１を消火する機構に消火を指示する制御信号を送信することとしても良い。なお、この所定の長時間と比べると、図５で示したタイミング情報における報知用経過時間は短い。
【００７５】
なお、実施の形態１では、サーバ１００はコンロが点火状態にある間において報知レベルが「低」から「高」へと高まる順序でしか報知を行わない例を示した。しかし、サーバ１００が既に報知した報知レベルと同じ又はそれより低いレベルの報知を行い得るようにしても良い。また、サーバ１００において、報知レベルが一定値以上の場合（例えば「中」及び「高」）にだけ報知を行うこととしても良く、この一定値を任意に設定できるようにしても良い。
【００７６】
また、端末装置３００は、報知情報に基づいて情報をディスプレイに表示する代わりに、スピーカによりその情報を音声で出力しても良く、その情報を印刷により出力しても良い。また、端末装置３００は、報知情報を受けた場合に発光しても良い。
【００７７】
また、実施の形態１で示した端末装置３００のようにサーバ１００から報知情報を受信して報知情報に応じて情報を表示等する端末装置は、見守られる対象である住宅２０の居住者（例えば高齢者）或いはその住宅２０の近所の者が保有する端末装置であっても良い。また、サーバ１００から報知情報を受けて、報知を行う装置としては、端末装置３００以外に、住宅２０内或いは住宅２０の外部に設置された照明装置を用いることも可能である。この照明装置は、例えば、報知情報に含まれる報知レベル（居住者を見守る上で確認が必要な事態が発生した可能性の高さを示すレベル）に応じて、報知レベルが「高」であれば赤色、「中」であれば黄色等と発光色を切り替えても良い。
【００７８】
また、実施の形態１で示したネットワーク３１は、ローカルエリアネットワーク（ＬＡＮ）であっても良い。サーバ１００は、住宅２０の内部に所在しても外部に所在しても構わない。なお、サーバ１００は、報知制御方法を実行して、報知機能を有する装置を制御して報知を行わせる他、サーバ１００が報知機能を担う部分（ディスプレイ等）を有することとしてその部分を報知制御方法により制御して報知を行っても良い。
【００７９】
また、実施の形態１で示した取得部１１０が受信した各センサーの検知結果について取得時刻を計時機構により対応付けることにより、センサー状態変化履歴（図３参照）をメモリ等の記憶装置に記憶することとしても良い。この記憶されたセンサー状態変化履歴は、各センサーの検知結果の詳細な分析のため等に用いることが可能となる。
【００８０】
また、実施の形態１では、報知制御処理（図８）によりコンロ２１が消火状態から点火状態に変化した場合に経過時間の測定を開始して、報知用経過時間４３が経過すると報知することとした。この経過時間の測定の開始条件を、コンロが点火状態に変化した場合の代わりに例えばコンロが点火状態になった後においてコンロが設置された部屋に居住者が所在しなくなった場合（コンロが設置された部屋から居住者が離れた場合）としても良い。この場合には、位置情報が示す居住者の所在位置に対応してタイミング情報４０に定められた報知タイミングに係る経過時間が、コンロの点火後においてコンロが設置された部屋に居住者が所在しなくなった時から経過したときに報知情報が送信される。このように、報知タイミングはタイミング情報４０（報知用経過時間４３）により、コンロが点火した時からの経過時間で表されても、コンロの点火後においてコンロが設置された部屋に居住者が所在しなくなった時からの経過時間で表されても良い。
【００８１】
また、実施の形態１で示したブリッジ２００は、各センサーからの検知結果に変化があった場合にのみサーバ１００に転送することとしても良い。また、ブリッジ２００は、検知結果のサーバ１００への転送に際して各センサーからの検知結果の受信時刻を示す時刻情報を付加して転送しても良い。これにより、通信路の状況の影響を受けて各検知結果のサーバ１００に受信される順序が送信順と異なっても、時刻情報に基づき順序を送信順に揃えることで、センサー状態を適切に把握することが可能となる。
【００８２】
また、実施の形態１で示したタイミング情報更新処理（ステップＳ１９）において、機械学習により、端末装置３００による更新のための操作に一定の傾向を見出すことで、学習結果を反映して適切にタイミング情報４０を設定して通知タイミングの適正化を図るようにしても良い。例えば、センサーＥが、集中して作業をするような部屋への所在を検知するものであるとすると、センサーＥに対応する部屋について、予め１０分で報知レベルが「低」となるように設定していた場合に、報知を受けた者が一定の高頻度で１５分後等への変更を行うような場合には、機械学習により設定を１５分に変更し得るようになる。
【００８３】
また、実施の形態１では、見守りシステム１０が高齢者を見守るために用いられる例を用いて説明したが、見守り対象となる住宅の居住者は、高齢者等の弱者に限られず、弱者でない者であっても良く、いかなる者であっても良い。
【００８４】
また、上述のサーバ１００による処理手順（図８〜図１０に示す手順等）の実行順序は、必ずしも、上述した通りの順序に制限されるものではなく、実行順序を入れ替えたりその一部を省略したりすることができる。また、その処理手順（図８〜図１０に示す手順等）の全部又は一部は、ハードウェアにより実現されても、ソフトウェアを用いて実現されても良い。なお、ソフトウェアによる処理は、コンピュータに含まれるＣＰＵがメモリに記憶された制御プログラムを実行することにより実現されるものである。また、その制御プログラムを記録媒体に記録して頒布や流通させても良い。例えば、頒布された制御プログラムをコンピュータにインストールして、ＣＰＵに実行させることで、コンピュータに図８〜図１０に示した処理手順の全部又は一部を行わせることが可能となる。
【００８５】
また、上述したサーバ１００による処理（報知制御処理等）の一部を、サーバ１００と通信可能な外部の装置類（例えば別のサーバ等）が分担することとしても良い。
【００８６】
また、上述した実施の形態で示した構成要素及び機能を任意に組み合わせることで実現される形態も本発明の範囲に含まれる。
【産業上の利用可能性】
【００８７】
本発明は、コンロを利用する者を見守るためのシステムにおいて利用できる。
【符号の説明】
【００８８】
１０  見守りシステム
２０  住宅
２１  コンロ
３１、３２  ネットワーク
１００  サーバ
１１０  取得部
１２０  記憶部
１３０  制御部
１４０  更新部
２００  ブリッジ
３００  端末装置
３１０  通信部
３２０  表示部
３３０  操作受付部
【図１】
2016103083.tif 000003
【図２】
2016103083.tif 000004
【図３】
2016103083.tif 000005
【図４】
2016103083.tif 000006
【図５】
2016103083.tif 000007
【図６】
2016103083.tif 000008
【図７】
2016103083.tif 000009
【図８】
2016103083.tif 000010
【図９】
2016103083.tif 000011
【図１０】
2016103083.tif 000012
【図１１】
2016103083.tif 000013
【図１２】
2016103083.tif 000014
【図１３】
2016103083.tif 000015
【図１４】
2016103083.tif 000016
【図１５】
2016103083.tif 000017
【図１６】
2016103083.tif 000018